(57)【特許請求の範囲】
【請求項１】
透明基板とバックシートとの間に、配線部材により電気的に接続された複数の太陽電池セルが封止材を介して積層された積層体と、
前記積層体の周囲を囲む枠部材と、
前記枠部材と前記複数の太陽電池セルとの間に配置され、前記封止材が内部に侵入している繊維材とを備え、
前記繊維材は、一端が前記配線部材と前記複数の太陽電池セルのうち前記繊維材に隣り合うように配置された太陽電池セルとの少なくとも一方の裏側で重なるように配置される、太陽電池モジュール。
【請求項２】
前記繊維材が不織布である、請求項１に記載の太陽電池モジュール。
【請求項３】
外周形状が隣り合う２辺の間の角度が直角でない角部を含む、請求項１又は２に記載の太陽電池モジュール。
【請求項４】
前記太陽電池セルが、極性の異なる２種類の電極が受光面側とは反対の裏面側に設けられた裏面電極型太陽電池セルであり、
前記配線部材が、絶縁性基板の一主面に前記太陽電池セルの極性の異なる２種類の電極に対応する配線が設けられた配線基板である、請求項１から３のいずれか１項に記載の太陽電池モジュール。
【請求項５】
少なくとも一部で前記繊維材が複数重ねられている、請求項１から４のいずれか１項に記載の太陽電池モジュール。
【請求項６】
前記繊維材は、折り曲げられた状態で重ねられている、請求項５に記載の太陽電池モジュール。
【請求項７】
透明基板、シート状の第１封止材、配線部材により電気的に接続された複数の太陽電池セル、着色された繊維材及びシート状の第２封止材をこの順で積層した積層体を加熱し、少なくとも前記第２封止材の粘度を低下させて前記繊維材の内部に侵入させて、前記太陽電池セルを封止する太陽電池モジュールの製造方法。
【発明の詳細な説明】
【技術分野】
【０００１】
本発明は、太陽光発電に用いることができる太陽電池モジュール及びその製造方法に関する。
【背景技術】
【０００２】
従来の太陽電池モジュールとして、太陽電池セルが複数並べられて配置されるセル配置層を含む複数の層が積層されて構成され、セル配置層の太陽電池セルが配置されている以外の空白領域に太陽電池セルと同じ色調の薄板が配置されている構成の太陽電池モジュールが、特許文献１に記載されている。
【先行技術文献】
【特許文献】
【０００３】
【特許文献１】国際公開第２００８／１３９６１１号
【発明の概要】
【発明が解決しようとする課題】
【０００４】
特許文献１に記載の技術では、空白領域に配置するのに薄板を用いているため、太陽電池セルとの間に隙間が形成されており、そのような隙間のせいで外観を損なっていた。また、そのような隙間が形成されないように、薄板を太陽電池セルと重なるように配置すると、薄板のエッジが太陽電池セルの配置領域に到達して段差ができてしまい、製造時にセル割れを起こす要因となる虞があった。
【０００５】
そこで、本発明は、上記問題点に鑑みてなされたものであって、製造時のセル割れを抑えて外観を損ね難い太陽電池モジュールを提供することを目的とする。
【課題を解決するための手段】
【０００６】
上記課題を解決するため、本発明は、透明基板とバックシートとの間に、配線部材により電気的に接続された複数の太陽電池セルが封止材を介して積層された積層体と、前記積層体の周囲を囲む枠部材と、前記太陽電池セルと前記枠部材との間で、一端が前記配線部材及び前記太陽電池セルの少なくとも一方の裏側で重なるように配置され、前記封止材が内部に侵入している繊維材とを備える太陽電池モジュールの構成としている。
【発明の効果】
【０００７】
本発明によれば、製造時のセル割れを抑えて外観を損ね難い太陽電池モジュールを提供することができる。
【図面の簡単な説明】
【０００８】
【図１】実施の形態１の太陽電池モジュールを光入射側から見たときの概略構成を模式的に示す平面図である。
【図２】実施の形態１の太陽電池モジュールの概略構成を模式的に示す要部断面図である。
【図３】実施の形態１の太陽電池モジュールの概略構成を模式的に示す要部断面図である。
【図４】実施の形態１に用いられる太陽電池セルの裏面の一例を模式的に示す平面図である。
【図５】実施の形態１に用いられる配線シートの一例を模式的に示す平面図である。
【図６】実施の形態１の太陽電池モジュールの製造方法を説明するための要部断面図である。
【図７】実施の形態３の太陽電池モジュールの概略構成を模式的に示す平面図である。
【図８】実施の形態４の繊維材の外観形状を示す平面図である。
【図９】図８の繊維材４０を折り曲げた様子を示す平面図である。
【発明を実施するための形態】
【０００９】
以下に、本発明の実施形態について図面を参照して説明する。なお、これらの図面において、同一の参照符号は同一部分または相当部分を表すものとする。
【００１０】
＜実施の形態１＞
図１は、実施の形態１の太陽電池モジュールを光入射側から見たときの概略構成を模式的に示す平面図である。図２は、実施の形態１の太陽電池モジュールの概略構成を模式的に示す要部断面図である。
【００１１】
図１，２に示すように、本実施の形態の太陽電池モジュール１０は、透明基板であるガラス基板５とバックシート６との間に、配線部材である配線シート（配線基板）２により電気的に接続された複数の太陽電池セル１が封止材７ａ，７ｂを介して積層された積層体８と、積層体８の周囲を囲む枠部材３と、太陽電池セル１と枠部材３との間で、一端が配線シート２及び太陽電池セル１の少なくとも一方の裏側で重なるように配置され、封止材７が内部に侵入している繊維材４とを備える構成となっている。
【００１２】
本実施の形態の太陽電池モジュール１０は、モジュール外周を構成する複数の辺のうち隣り合う２辺で形成される角部に直角となっていない角部があり、直角でない角部に挟まれた位置の斜辺が存在しており、図１に示す構成では、枠部材３の１辺が斜辺部３ａとなっている。なお、斜辺は、モジュール外周を構成する複数の辺のうち隣り合う辺で形成される角部のうち、直角となる角部に対向する辺と表現することもできる。
【００１３】
したがって、繊維材４は、太陽電池セル１と枠部材３の斜辺部３ａとの間で、一端が配線シート２及び太陽電池セル１の少なくとも一方の裏側で重なるように配置されているとも表現することができる。また、この太陽電池モジュール１０の外周形状は、隣り合う２辺の間の角度が直角でない角部を含むと表現することができ、直角に対向する斜辺を含むと表現することもできる。
【００１４】
本実施の形態で用いている太陽電池セル１は、極性の異なる２種類の電極が、光入射側の受光面側とは反対の裏面側に設けられた裏面電極型太陽電池セルである。そして、配線シート２は、絶縁性基板の一主面に、裏面電極型太陽電池セルの極性の異なる２種類に電極に対応する配線が設けられた構成である。
【００１５】
図１には太陽電池セル１が合計２０個配置された構成を示しているが、これらの太陽電池セルは配線シート２により電気的に接続されている。より具体的には、図面横方向の各段においては図示しない配線パターンにより直列に接続されている。
【００１６】
そして、下から１段目と２段目とは配線導体２１ａにより直列に接続され、下から２段目と３段目とは配線導体２１ｂにより直列に接続され、下から３段目と４段目とは配線導体２１ｃにより直列に接続され、下から４段目と５段目とは配線導体２１ｄにより直列に接続され、下から５段目と６段目とは配線導体２１ｅにより直列に接続されている。このようにして、太陽電池セル１の全てが直列に接続されている。なお、配線導体２１ａ，２１ｂ，２１ｃ，２１ｄ，２１ｅとしては、例えばはんだめっきされた銅等の金属箔を用いることができ、配線シート２に形成した配線パターンを用いることもできる。
【００１７】
ここで、これらの配線導体は、配線部材に含まれる構成である。なお、図１に示した構成では、配線導体２１ａ，２１ｂ，２１ｃ，２１ｄ，２１ｅの全体が配線シート２と重なる構成を示しているが、部分的に重なるようにしても良い。
【００１８】
本実施の形態では、繊維材４として、太陽電池セル１と同系色に着色された不織布を用いている。より具体的には、例えば、スパンボンド法により製造した、ナイロン、ポリエステル、ポリプロピレン等の合繊長繊維からなり、液体が侵入可能な不織布を用いることができる。
【００１９】
繊維材４の色については、太陽電池セル１と同じ色とすることが好ましいが、外観を損ね難い程度あれば、必ずしも同じ色でなくても良い。
【００２０】
繊維材４の一端は、配線シート２及び太陽電池セル１の少なくとも一方の裏側で重なるように配置されていれば良く、図２では太陽電池セル１及び配線シート２の両方と重なるように配置されているが、例えば図３のように、配線シート２と重なり、太陽電池セル１と重ならないように配置されていても良い。
【００２１】
なお、図２，３では繊維材４が配線シート２の裏面側に接触した様子を示しているが、繊維材４は、配線部材である配線シート２に接触していなくても良く、また接触する部分と接触しない部分とがあっても良い。言い換えれば、封止材７が繊維材４の内部を貫通するように一体化した状態となり、配線部材である配線シート２に接触するのが封止材７であっても良いし繊維材４であっても良い。
【００２２】
図４（ａ）に、本実施の形態に用いられる太陽電池セルの裏面の一例の模式的な平面図を示す。ここで、シリコン基板１０１の裏面には、ｎ型電極１０６とｐ型電極１０７とが形成されており、ｎ型電極１０６およびｐ型電極１０７はそれぞれシリコン基板１０１の裏面の同一方向（図３（ａ）の図面左右方向）に伸びる帯状に形成されている。そして、帯状のｎ型電極１０６と帯状のｐ型電極１０７とは１本ずつ交互に図４（ａ）の図面上下方向に配列されている。
【００２３】
図４（ｂ）に、本実施の形態に用いられる太陽電池セルの裏面の他の一例の模式的な平面図を示す。ここで、シリコン基板１０１の裏面には、ｎ型電極１０６とｐ型電極１０７とが形成されており、ｎ型電極１０６およびｐ型電極１０７はそれぞれ点状に形成されている。そして、図４（ｂ）の図面の上下方向および左右方向のそれぞれの方向に点状のｎ型電極１０６同士が隣り合うようにして配列されるとともに、点状のｐ型電極１０７同士が隣り合うようにして配列されている。なお、図４（ｂ）に示す点状のｎ型電極１０６および点状のｐ型電極１０７は、図４（ｂ）の図面の上下方向および左右方向のそれぞれの方向に直線状に配列されている。
【００２４】
太陽電池セルの裏面のｎ型電極１０６およびｐ型電極１０７の電極形状をそれぞれ、たとえば図４（ａ）に例示されるような帯状および／またはたとえば図４（ｂ）に例示されるような点状にすることが好ましい。この場合には、後述する封止材中への太陽電池の封止時に太陽電池セルと配線基板との間に気泡が残らない傾向にある。
【００２５】
なお、太陽電池セル裏面の電極形状はこれらに限定されず、例えば、図４（ａ）において、ｎ型電極１０６の図面左側端部に図面上下方向に伸びる導体を付加して複数のｎ型電極１０６を連結させたり、ｐ型電極１０７の図面右側端部に図面上下方向に伸びる導体を付加して複数のｐ型電極１０７を連結させたような電極形状としても良い。
【００２６】
図５に、本実施の形態に用いられる配線シートの一例の模式的な平面図を示す。ここで、配線シート２００の絶縁性基板１１１の表面上には、ｎ型用配線１０９とｐ型用配線１１０とが備えられているとともに、ｎ型用配線１０９とｐ型用配線１１０とを電気的に接続するための接続用配線１１３が備えられている。
【００２７】
また、絶縁性基板１１１の長手方向の一方の端部に設置されたｐ型用配線１１０には集電用のｐ型集電用配線１１４が電気的に接続されており、他方の端部に設置されたｎ型用配線１０９には集電用のｎ型集電用配線１１５が電気的に接続されている。なお、ｐ型集電用配線１１４およびｎ型集電用配線１１５にはそれぞれ位置決め用の開口部となるスリット１１２が形成されている。また、図５においては、ｎ型用配線１０９、ｐ型用配線１１０、接続用配線１１３、ｐ型集電用配線１１４およびｎ型集電用配線１１５のそれぞれの領域を破線によって分けているが、図５に示す分け方に限定されるものではない。
【００２８】
図５に図示した構成は、４個の太陽電池セル１を直接接続する１段構成に適用する配線シートを例示しているが、このような配線シートの複数を上述の配線導体のような導体で接続することにより、図１に示すような太陽電池モジュールを構成することもできるし、複数段構成の配線シートを用いて単一または複数を導体で接続することにより、図１に示すような太陽電池モジュールを構成することもできる。一例として、図１に示した構成においては、２段で１枚の配線シートとして、下から１段目と２段目とで１枚、下から３段目と４段目とで１枚、下から５段目と６段目とで１枚の合計３枚の配線シートを用いて構成することができる。
【００２９】
透明基板としては、ガラス以外も適用可能であるが、通常の地上用太陽電池モジュールに適用するのであれば、耐候性を考慮してガラス基板を用いることが好ましい。
【００３０】
封止材７としては、耐候性に優れたほぼ透明の樹脂を用いることができ、例えばエチレンビニルアセテート（ＥＶＡ）やオレフィン系樹脂を用いることができ、太陽電池セルの受光面側と裏面側とで同じ樹脂を用いても構わないし異なる樹脂を用いても構わない。なお、図１においては、受光面側封止材７ａと裏面側封止材７ｂとを別に記載し、その境界を破線で図示しているが、これらの境界の位置は、図示した位置に限定されるものでなく、ガラス基板５側またはバックシート６側のいずれに移動した位置でも良く、また受光面側封止材７ａと裏面側封止材７ｂとに同じ樹脂を用いて境界がなくなるようにしても良い。
【００３１】
バックシート６としては、耐候性が良好なものが好ましく、例えばＡｌ等の金属箔を樹脂シートで挟んだ構成のものを用いることができる。
【００３２】
次に、本実施の形態の太陽電池モジュールの製造方法について説明する。
【００３３】
まず、図４で説明したような裏面電極型太陽電池セルと、図５で説明したような配線シートとを用いて、太陽電池セルのｎ型電極，ｐ型電極と配線シートのｎ型用配線，ｐ型用配線との間にはんだ等の導電性接着剤を配置し、太陽電池セルの電極のない領域と配線シートの配線のない領域に絶縁性接着剤を配置し、太陽電池セルと配線シートとが仮止めされた状態とする。なお、絶縁性接着剤としては、シリコーン系接着剤、アクリル系接着剤、エポキシ系接着剤およびゴム系接着剤からなる群から選択された少なくとも１種を含むことものを用いることができる。
【００３４】
図２に対応する図６に示すように、下側から、ガラス基板５、シート状受光面側封止材（第１封止材）７ａ’、太陽電池セル１、配線シート２、繊維材４、シート状裏面側封止材（第２封止材）７ｂ’、バックシート６の順番で積層体８’とする。なお、ここで、繊維材４を配線シート２に固定用テープ９を用いて固定しておく。
【００３５】
この積層体８’の状態で、ラミネーターを用いた加熱真空圧着により、太陽電池モジュールの封止を行う。この加熱圧着において、太陽電池セルの電極と配線シートの配線とが導電性接着剤により電気的に接続され、太陽電池セルと配線シートとが絶縁性接着剤の熱硬化により機械的に接続される。また、加熱により封止材７ａ’，７ｂ’の粘度が低下して、主に裏面側封止材７ｂ’が繊維材４の内部に侵入する。したがって、繊維材４のエッジが配線シート２又は太陽電池セル１の配置領域にあって、繊維材４が配線シート２及び太陽電池セル１の少なくとも一方と重なって加熱前に段差ができても、加熱時に封止材が繊維材４の内部に侵入するため、繊維材４のエッジによるセルへの応力の発生が緩和され、セル割れを抑えることができる。引き続き加熱することにより、封止材７ａ’，７ｂ’が硬化して、太陽電池セル１が封止される。なお、繊維材４の内部には、受光面側封止材７ａ’が侵入しても良い。
【００３６】
なお、実際には、封止材の粘度が低下すると、液体状態の封止材中に繊維材４が沈み込むような状態となり、繊維材４による太陽電池セル１への応力が大幅に緩和される。
【００３７】
この封止後、積層体の外周部に枠部材を配置して、本実施の形態の太陽電池モジュールを製造することができる。
【００３８】
本実施の形態の太陽電池モジュールによれば、ガラス基板５とバックシート６との間に、配線シート２により電気的に接続された複数の太陽電池セル１が封止材７ａ，７ｂを介して積層された積層体８と、積層体８の周囲を囲む枠部材３と、太陽電池セル１と枠部材３との間で、一端が配線シート２及び太陽電池セル１の少なくとも一方の裏側で重なるように配置され、封止材７が内部に侵入している着色された繊維材４とを備えるので、製造時のセル割れを抑えて外観を損ね難い太陽電池モジュールを実現することができる。
【００３９】
外観についてより具体的に説明すると、光入射側から太陽電池モジュール１０を観察した場合、太陽電池セル１の色調が暗色でバックシート６の色調が明色であるため、太陽電池セル１が配置されていない領域が比較的広くてバックシート６の比較的広い面積が観察されると外観を損ねることになる。そこで、本実施の形態では、封止材７が内部に侵入している着色された繊維材４を、一端が配線シート２及び太陽電池セル１の少なくとも一方の裏側で重なるように配置される構成としているので、太陽電池セル１と繊維材４との間隔を小さくでき、バックシート６が目立ち難くなって、外観を損ね難くなる。
【００４０】
また、本実施の形態では、繊維材４として、不織布を用いているので、後述する実施の形態２の織布と比較して、繊維の密度が低くスカスカな状態でありマクロな熱収縮が起こり難いため、繊維材４のエッジ部分の形状の変化を抑えることができ、例えばセルエッジと不織布エッジとが揃ったラインを維持できるなど、外観を損ね難い。また、不織布であれば、織布よりも安価である。
【００４１】
さらに、不織布であれば、裁断箇所でほつれ難いので、枠部材３と繊維材４との間に隙間を設ける、即ち繊維材４の端部が枠部材３と離れた配置の場合には、裁断箇所が目立ち難く、より外観を損ない難い。したがって、図１に示した構成では枠部材３と繊維材４との間に隙間を設けていないが、繊維材４の端部を枠部材３から離間させて、枠部材３と繊維材４との間に隙間が設けられた構成では、特に繊維材４として不織布を用いることが好ましい。
【００４２】
また、本実施の形態の太陽電池モジュールの製造方法によれば、ガラス基板５、シート状封止材７ａ、配線シート２により電気的に接続された複数の太陽電池セル１、着色された繊維材４及びシート状封止材７ｂをこの順で積層した積層体８’を加熱し、少なくとも封止材７ｂの粘度を低下させて繊維材４の内部に侵入させて、太陽電池セル１を封止するので、製造時のセル割れを抑えて外観を損ね難い太陽電池モジュールを実現することができる。
【００４３】
＜実施の形態２＞
上記実施の形態１では、繊維材４として不織布を用いた形態について説明したが、本実施の形態２では、繊維材４として、不織布に代えて、経糸と緯糸とが織られた織布を用いた点だけ上記実施の形態１と異なるので、異なる点だけ説明する。
【００４４】
本実施の形態２によっても、太陽電池セルの封止の際に、加熱により封止材７ａ，７ｂの粘度が低下して、主に裏面側封止材７ｂが繊維材４に侵入するので、繊維材４のエッジが配線シート２又は太陽電池セル１の配置領域にあって、繊維材４が配線シート２及び太陽電池セル１の少なくとも一方と重なって加熱前に段差ができても、繊維材４のエッジによるセルへの応力の発生が緩和され、セル割れを抑えることができる。したがって、上記実施の形態１と同様に、製造時のセル割れを抑えて外観を損ね難い太陽電池モジュールを実現することができる。
【００４５】
ただし、本実施の形態２では、繊維材４として、織布を用いているので、前述の実施の形態１の不織布と比較して、繊維の密度が高くマクロな熱収縮が起こり易いので外観を損ね易く、また高価である。さらに、裁断箇所でほつれに易いので、枠部材３と繊維材４との間に隙間を設ける場合には、裁断箇所が目立ち易くなる。
【００４６】
＜実施の形態３＞
実施の形態３として、太陽電池セル１として受光面側及び裏面側の両方に電極のある両面電極型太陽電池セルを用いて、配線部材として銅等の金属箔にはんだめっきした直線状のインターコネクタを用いた太陽電池モジュールに適用した場合について、上記実施の形態１と異なる点だけ説明する。
【００４７】
図７は、実施の形態３の太陽電池モジュール１０’を光入射側から見たときの概略構成を模式的に示す平面図である。
【００４８】
図７に示すように、本実施の形態の太陽電池モジュール１０’は、太陽電池セル１として両面電極型太陽電池セルを用いており、配線部材として直線状のインターコネクタ２’を用いている。繊維材４は、一端がインターコネクタ２’及び太陽電池セル１の少なくとも一方の裏側で重なるように配置されている。光入射側から見ると、封止材７がほぼ透明なので、太陽電池セル１間の隙間等からバックシート６が部分的に見える。
【００４９】
図７に示す太陽電池セル１の合計２０個が、インターコネクタ２’により電気的に接続されている。より具体的には、図面横方向の各段においてはインターコネクタ２’により直列に接続されている。そして、上記実施の形態１と同様に、配線導体２１ａ，２１ｂ，２１ｃ，２１ｄ，２１ｅを用いて隣り合う段が直列に接続され、太陽電池セル１の全てが直列に接続されている。
【００５０】
次に、本実施の形態の太陽電池モジュールの製造方法について説明する。
【００５１】
まず、リフロー炉等で加熱して両面電極型太陽電池セルにインターコネクタ２’を接続する。
【００５２】
そして、下側から、ガラス基板５、シート状の受光面側封止材７ａ、インターコネクタ２’により接続された複数の太陽電池セル１、繊維材４、シート状の裏面側封止材７ｂ、バックシート６の順番で積層体とする。なお、ここで、繊維材４を太陽電池セル１又はインターコネクタ２’に固定用テープを用いて固定しておく。
【００５３】
この積層体の状態で、ラミネーターを用いた加熱真空圧着により、太陽電池モジュールの封止を行う。この加熱圧着において、加熱により封止材７ａ，７ｂの粘度が低下して、主に裏面側封止材７ｂが繊維材４に侵入する。したがって、繊維材４がインターコネクタ２’及び太陽電池セル１の少なくとも一方と重なって加熱前に段差があっても、セル割れを抑えることができる。
【００５４】
この封止後、積層体の外周部に枠部材を配置して、本実施の形態の太陽電池モジュールを製造することができる。
【００５５】
本実施の形態３によっても、製造時のセル割れを抑えて外観を損ね難い太陽電池モジュールを実現することができる。
【００５６】
なお、本実施の形態３の繊維材４としては、上記実施の形態１のように不織布を用いても良いし、上記実施の形態２のように織布を用いても良いが、上述した理由から不織布を用いる方が好ましい。
【００５７】
＜実施の形態４＞
上記実施の形態１〜３では、繊維材４が１枚で重ならない構成について説明したが、本実施の形態４では、太陽電池モジュールの少なくとも一部で、繊維材４が複数枚重ねられている構成について説明する。なお、本実施の形態４では、上記実施の形態１とは繊維材４が異なるだけなので、この異なる点だけ説明する。
【００５８】
図８は本実施の形態４の繊維材４０の外観形状を示す平面図であり、図９は図８の繊維材４を折り曲げた様子を示す平面図である。
【００５９】
図８，９に示すように、本実施の形態４の繊維材４０は下地部４０ａと折曲部４０ｂとを備えており、図８の一点鎖線で折曲部４０ｂが折り曲げられて、下地部４０ａに対して部分的に重なり、図９に示されるような外観形状となる。
【００６０】
このような繊維材４０を用いて太陽電池モジュールを構成すれば、光入射側から見たときには、上記実施の形態１の図１と同様の概略構成となる。ここで、図９の折曲部４０ｂが重ならない部分の大部分の下地部４０ａには、太陽電池セル１の接続された配線シート２が光入射側において重ねられることになる。そして、図９の折曲部４０ｂには、配線シートも太陽電池セルも重ねられないことになる。
【００６１】
本実施の形態４の繊維材４０を用いても、上記実施の形態１と同様の製造方法により、太陽電池モジュールを製造することができる。
【００６２】
本実施の形態４によれば、上記実施の形態１と同様に、製造時のセル割れを抑えて外観を損ね難い太陽電池モジュールを実現することができる。さらに、繊維材が重ねられないと下方を透過して外観不良を発生する場合があるが、繊維材が重ねられた状態とすることにより、このような外観不良の発生を低減することができる。
【００６３】
なお、本実施の形態４では、繊維材が折り曲げられた状態で重ねられている構成としたが、複数の繊維材が重ねられている構成としても良い。ただし、繊維材が折り曲げられた状態で重ねられている構成とした方が、位置合わせの手間を低減できるので好ましい。
【００６４】
また、本実施の形態４の繊維材４０としては、上記実施の形態１のように不織布を用いても良いし、上記実施の形態２のように織布を用いても良いが、上述した理由から不織布を用いる方が好ましい。
【００６５】
また、本実施の形態４の繊維材４０を上記実施の形態３のような両面電極型太陽電池セルと直線状インターコネクタとを用いた太陽電池モジュールに適用することも可能である。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６７】
１      太陽電池セル
２      配線シート（配線基板、配線部材）
２１ａ，２１ｂ，２１ｃ，２１ｄ，２１ｅ  配線導体（配線部材）
２’    インターコネクタ（配線部材）
３      枠部材
４，４０  繊維材
４０ａ  下地部
４０ｂ  折曲部
５      ガラス基板（透明基板）
６      バックシート
７ａ    受光面側封止材（封止材）
７ｂ    裏面側封止材（封止材）
７ａ’  シート状受光面側封止材（封止材）
７ｂ’  シート状裏面側封止材（封止材）
８，８’  積層体
１０，１０’  太陽電池モジュール
【図１】
0006518164.tif 000002
【図２】
0006518164.tif 000003
【図３】
0006518164.tif 000004
【図４】
0006518164.tif 000005
【図５】
0006518164.tif 000006
【図６】
0006518164.tif 000007
【図７】
0006518164.tif 000008
【図８】
0006518164.tif 000009
【図９】
0006518164.tif 000010